(57)【要約】【課題】円筒型電池の温度を適切に測定することができる温度センサを提供すること。【解決手段】温度センサ１は、円筒型電池２の外周曲面２ａに当接される測温面１４ａを有するセンサ本体１０を備える。測温面１４ａは、外周曲面２ａの形状に応じて湾曲している。温度センサ１は、測温面１４ａを外周曲面２ａに当接させる向きにセンサ本体１０を押圧する押圧体２０と、測温面１４ａの周縁部の少なくとも一部を防風壁と外周曲面２ａとの間に挟むように配置された防風壁３０と、を備える。【選択図】図２
2018179938.tif 000002
【特許請求の範囲】
【請求項１】
円筒型電池の外周曲面の形状に対応するように湾曲した測温面を有するセンサ本体と、
前記測温面を前記外周曲面に当接させる向きに前記センサ本体を押圧可能な押圧体と、
前記センサ本体に設けられた防風壁であって前記測温面の周縁部の少なくとも一部を該防風壁と前記外周曲面との間に挟むように配置された防風壁と、を備えた、
温度センサ。
【請求項２】
請求項１に記載の温度センサにおいて、
前記押圧体が、
前記防風壁に設けられると共に前記防風壁を前記向きに弾性的に押圧可能な構造を有する、
温度センサ。
【請求項３】
請求項１又は請求項２に記載の温度センサにおいて、
前記センサ本体が、
前記測温面を構成する第１伝熱板、及び、前記第１伝熱板の周縁部から互いに向かい合うように延びる一対の第２伝熱板、を有する伝熱体と、
前記第１伝熱板及び前記一対の前記第２伝熱板に囲まれるように配置された測温体と、
前記測温体と前記伝熱体との間に設けられた絶縁体と、を有する、
温度センサ。
【請求項４】
円筒型電池と、温度センサと、を備えた電池パックであって、
前記温度センサは、
前記円筒型電池の外周曲面の形状に対応するように湾曲した測温面を有するセンサ本体と、
前記測温面を前記外周曲面に当接させる向きに前記センサ本体を押圧可能な押圧体と、
前記センサ本体に設けられた防風壁であって前記測温面の周縁部の少なくとも一部を該防風壁と前記外周曲面との間に挟むように配置された防風壁と、を有する、
電池パック。
【発明の詳細な説明】
【技術分野】
【０００１】
本発明は、円筒型電池の温度を測定するための温度センサ、及び、円筒型電池と温度センサとを備えた電池パック、に関する。
【背景技術】
【０００２】
従来から、ハイブリッド自動車および電気自動車などに搭載されるバッテリの過充電および過放電を防止する等の目的から、バッテリの温度を測定するための温度センサが提案されている。この種の温度センサは、一般に、バッテリを構成する複数のバッテリセルの表面に密着するように装着され、バッテリセルの温度を監視するようになっている（例えば、特許文献１を参照。）。
【先行技術文献】
【特許文献】
【０００３】
【特許文献１】特開２０１１−１７６３８号公報
【発明の概要】
【発明が解決しようとする課題】
【０００４】
上述した従来の温度センサは、金属製の伝熱板の表面（測温面）を角型のバッテリセルの表面に押圧接触させると共に、伝熱板の近傍に設けられた測温体（サーミスタ等）によってバッテリセルの温度を測定するように構成されている。更に、この従来の温度センサでは、角型のバッテリセルの表面と伝熱板の表面との接触面積を大きくするべく、測温面が平面形状を有している。
【０００５】
ところで、種々の理由から、角型のバッテリセルに代えて円筒型のバッテリセル（円筒型電池）を用いてバッテリが構成される場合がある。この場合、上述した従来の温度センサをそのまま用いると、伝熱板の平面形状の測温面と円筒型のバッテリセルの外周曲面との接触面積は、当然に、角型のバッテリセルへの適用時の接触面積に比べて小さくなる。その結果、従来の温度センサは、円筒型のバッテリセルの温度を適正に測定できない虞がある。
【０００６】
本発明は、上述した事情に鑑みてなされたものであり、その目的は、円筒型電池の温度を適正に測定可能な温度センサ、及び、その温度センサを用いた電池パックを提供することにある。
【課題を解決するための手段】
【０００７】
前述した目的を達成するために、本発明に係る「温度センサ」は、下記（１）〜（３）を特徴としている。
（１）
円筒型電池の外周曲面の形状に対応するように湾曲した測温面を有するセンサ本体と、
前記測温面を前記外周曲面に当接させる向きに前記センサ本体を押圧可能な押圧体と、
前記センサ本体に設けられた防風壁であって前記測温面の周縁部の少なくとも一部を該防風壁と前記外周曲面との間に挟むように配置された防風壁と、を備えた、
温度センサであること。
（２）
上記（１）に記載の温度センサにおいて、
前記押圧体が、
前記防風壁に設けられると共に前記防風壁を前記向きに弾性的に押圧可能な構造を有する、
温度センサであること。
（３）
上記（１）又は上記（２）に記載の温度センサにおいて、
前記センサ本体が、
前記測温面を構成する第１伝熱板、及び、前記第１伝熱板の周縁部から互いに向かい合うように延びる一対の第２伝熱板、を有する伝熱体と、
前記第１伝熱板及び前記一対の前記第２伝熱板に囲まれるように配置された測温体と、
前記測温体と前記伝熱体との間に設けられた絶縁体と、を有する、
温度センサであること。
【０００８】
上記（１）の構成の温度センサによれば、センサ本体の測温面が円筒型電池の外周曲面の形状に対応するように湾曲した形状を有するため、従来の温度センサのように平面形状の測温面を有する場合に比べ、測温面と円筒型電池の外周曲面との接触面積を増大させられる。その結果、本構成の温度センサは、円筒型電池の温度を適正に測定できる。
【０００９】
更に、測温面が円筒型電池の外周曲面に当接された状態にて、測温面の周縁部の少なくとも一部が防風壁と外周曲面との間に挟み込まれるようになっている。そのため、例えば、円筒型電池を冷却するための冷却風が温度センサの外部から円筒型電池に吹き付けられた際、防風壁が無い場合に比べ、測温面と円筒型電池との当接箇所に冷却風を吹き込み難くすることができる。その結果、防風壁が無い場合に比べ、温度センサによる測温精度が向上し得る。
【００１０】
したがって、本構成の温度センサは、円筒型電池の温度を適切に測定できる。
【００１１】
なお、防風壁は、測温面の周縁部のうちの出来る限り広い範囲を冷却風から隔離するように設けられることが好ましい。例えば、測温面が円筒型電池の軸方向に長い長方形状の形状を有する場合、防風壁は、外周曲面の周方向における測温面の両端部（長方形の長辺に相当）を防風壁と外周曲面との間に挟むように配置され得る。更に、例えば、防風壁は、測温面の周縁部の全体を円筒型電池の外周曲面との間に挟むように配置され得る。
【００１２】
上記（２）の構成の温度センサによれば、押圧体を防風壁に設けることにより、防風壁をセンサ本体を押圧するための部分として兼用できる。よって、押圧体を他の部分に設ける場合に比べ、温度センサを小型化できる。
【００１３】
上記（３）の構成の温度センサによれば、第１伝熱板と第２伝熱板とに囲まれるように測温体が配置される。よって、円筒型電池の表面から第１伝熱板の測温面に伝わった熱を、第１伝熱板及び第２伝熱板を介し、測温体を包み込むように多方向から伝達できる。よって、円筒型電池から伝わった熱を一方向から測温体に伝達する場合に比べ、円筒型電池の温度をより適正に測定できる。
【００１４】
例えば、測温面が円筒型電池の軸方向に長い長方形状の形状を有する場合、一対の第２伝熱板は、外周曲面の周方向における測温面の両端部（長方形の長辺に相当）から延びるように設けられ得る。これにより、第１伝熱板および第２伝熱板によって測温体を包み込み、伝熱板から測温体に効率良く熱を伝えることができる。
【００１５】
更に、測温体と伝熱体との間に絶縁体が設けられている。そのため、伝熱体として導電性の高い材料（例えば、金属）を用いる場合であっても、円筒型電池と測温体との間を確実に絶縁させることができる。これにより、円筒型電池と測温体との間の電気的短絡による測温体の故障等を防止できる。
【００１６】
前述した目的を達成するために、本発明に係る「電池パック」は、下記（４）を特徴としている。
（４）
円筒型電池と、温度センサと、を備えた電池パックであって、
前記温度センサは、
円筒型電池の外周曲面の形状に対応するように湾曲した測温面を有するセンサ本体と、
前記測温面を前記外周曲面に当接させる向きに前記センサ本体を押圧可能な押圧体と、
前記センサ本体に設けられた防風壁であって前記測温面の周縁部の少なくとも一部を該防風壁と前記外周曲面との間に挟むように配置された防風壁と、を有する、
電池パックであること。
【００１７】
上記（４）の構成の電池パックによれば、センサ本体の測温面が円筒型電池の外周曲面の形状に対応するように湾曲した形状を有するため、従来の温度センサのように平面形状の測温面を有する場合に比べ、測温面と円筒型電池の外周曲面との接触面積を増大させられる。その結果、本構成の温度センサは、円筒型電池の温度を適正に測定できる。
【００１８】
更に、測温面が円筒型電池の外周曲面に当接された状態にて、測温面の周縁部の少なくとも一部が防風壁と外周曲面との間に挟み込まれるようになっている。そのため、例えば、円筒型電池を冷却するための冷却風が温度センサの外部から円筒型電池に吹き付けられた際、防風壁が無い場合に比べ、測温面と円筒型電池との当接箇所に冷却風を吹き込み難くすることができる。その結果、防風壁が無い場合に比べ、温度センサによる測温精度が向上し得る。
【００１９】
したがって、本構成の温度センサは、円筒型電池の温度を適切に測定して管理することができる。
【発明の効果】
【００２０】
本発明によれば、円筒型電池の温度を適正に測定可能な温度センサ、及び、その温度センサを用いた電池パック、を提供できる。
【００２１】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００２２】
【図１】図１は、本発明の実施形態に係る温度センサの斜視図である。
【図２】図２は、温度センサの分解斜視図である。
【図３】図３（ａ）は温度センサの側面図であり、図３（ｂ）は図３（ａ）のＢ部の拡大図である。
【図４】図４は、温度センサの下面図である。
【図５】図５（ａ）は本発明の実施形態に係る電池パックにおける図３（ａ）のＡ−Ａ断面に相当する断面図であり、図５（ｂ）は図５（ａ）における測温面の周囲を拡大した拡大図である。
【図６】図６は、冷却風が温度センサの外部から円筒型電池に吹き付けられた場合における防風壁の作用を説明するための図である。
【発明を実施するための形態】
【００２３】
＜実施形態＞
以下、図面を参照しながら、本発明の実施形態に係る「円筒型電池２の温度を測定するための温度センサ１」、及び、「円筒型電池２と温度センサ１とを備えた電池パック３」について説明する。
【００２４】
図１〜図５に示すように、温度センサ１は、センサ本体１０と、押圧体２０と、防風壁３０と、規制部４０と、を備える。以下、説明の便宜上、図１に示すように、「前後方向」、「上下方向」、「幅方向」、「前」、「後」、「上」及び「下」を定義する。「前後方向」、「上下方向」及び「幅方向」は、互いに直交している。幅方向は、本発明の「周方向」にも相当している。以下、温度センサ１を構成する各部材について順に説明していく。
【００２５】
まず、センサ本体１０について説明する。特に、図３（ａ）のＡ−Ａ断面に相当する断面図である図５（ａ）に示すように、センサ本体１０は、ハウジング１１と、伝熱体１２と、測温体１３と、を備える。
【００２６】
ハウジング１１は、樹脂製であり、図２及び図５（ａ）から理解できるように、前後方向に延びる角筒状の形状を有している。ハウジング１１は、前端面が塞がれ、後端面が開口している。ハウジング１１の後端面の開口からは、測温体１３に接続された後述する電線１８が延出している（図１を参照）。
【００２７】
伝熱体１２は、導電性の高い材料（例えば、金属）から構成される。図２及び図５（ａ）から理解できるように、伝熱体１２は、前後方向に延びる第１伝熱板１４と、第１伝熱板１４の幅方向両端部から上方に立設すると共に前後方向に平板状に延びる一対の第２伝熱板１５と、を備える。伝熱体１２は、例えば、１枚の金属板を折り曲げることによって形成されている。
【００２８】
第１伝熱板１４の下面は、円筒型電池２の外周曲面２ａ（図５を参照）に当接される測温面１４ａとして機能する面である。測温面１４ａと円筒型電池２の外周曲面２ａとの接触面積を増すため、第１伝熱板１４の測温面１４ａは、前後方向に直交する断面形状（図５に示す断面形状）が、外周曲面２ａの形状に対応するように上方に湾曲した円弧状の形状を有している。この円弧状の形状の半径は、円筒型電池２の外周曲面２ａの曲率半径と同じ値、又は、若干大きい値となっている。
【００２９】
図５（ａ）から理解されるように、伝熱体１２は、ハウジング１１にインサート成形されて一体化されている。具体的には、一対の第２伝熱板１５の全体は、ハウジング１１の一対の側壁の内部に埋設されており（図５（ａ）を参照）、第１伝熱板１４の全体（測温面１４ａの全体）は、ハウジング１１の下壁の直下に露出している（図４を参照）。
【００３０】
図２に示すように、測温体１３は、サーミスタ素子であって、樹脂１３ａによって封止されている。樹脂封止された測温体１３の後端には、測温体１３に接続された一対のリード線１６が延出しており、一対のリード線１６はそれぞれ、加締め部品１７を介して、一対の電線１８の導体部分に接続されている。一対の電線１８は、温度測定装置または温度測定回路基板（図示省略）に接続されるようになっている。
【００３１】
測温体１３は、角筒状のハウジング１１の後端面の開口から挿入されて、図５（ａ）に示すように、ハウジング１１の内部空間において、第１伝熱板１４及び一対の第２伝熱板１５に囲まれるように配置されている。ハウジング１１の内部空間には、測温体１３の周囲においてポッティング樹脂材１９が充填されている。このポッティング樹脂材１９により、測温体１３は、ハウジング１１内にて固定され且つ保護されている。
【００３２】
次いで、防風壁３０について説明する。本例では、防風壁３０は、測温面１４ａと円筒型電池２との接触箇所に吹き込む冷却風を低減する機能、及び、押圧体２０（具体的には、片持ち梁状の押圧体２０の固定端）を固定する機能を有する。
【００３３】
図１〜図３に示すように、防風壁３０は、一対の防風壁本体３１を備える。一対の防風壁本体３１は、角筒状のハウジング１１の両側壁の下端部にて前端近傍位置から前後方向中央付近までに亘って、幅方向外側に一体で突出し、且つ、平板状に前後方向に延びている。
【００３４】
防風壁本体３１の上面には、押圧体２０を係止して固定するための係止部３２と、係止部３２の後方にて押圧体２０の先端面を突き当てるストッパ部３３と、が形成されている。係止部３２には、押圧体２０を挿入するための挿入孔（前後方向に貫通する貫通孔）が形成されている。
【００３５】
次いで、押圧体２０について説明する。押圧体２０は、一対の防風壁３０にそれぞれ設けられている。一対の押圧体２０は、センサ本体１０の測温面１４ａを下向き（即ち、円筒型電池２の外周曲面２ａに当接させる向き）に弾性的に押圧するようになっている。換言すると、一対の押圧体２０は、下向きの弾性力を発生する機能を有している。
【００３６】
押圧体２０は、板バネから構成されている。特に、図３に示すように、押圧体２０は、板バネの一端から前方に延びる第１部分２１と、第１部分２１の前端部から屈曲して上方且つ後方に向けて斜めに延びる第２部分２２と、第２部分２２の上端部から屈曲して下方且つ後方に向けて斜めに延びる第３部分２３と、第３部分２３の下端部から屈曲して板バネの他端まで上方且つ後方に向けて斜めに延びる第４部分２４と、で構成される。
【００３７】
第１部分２１は、防風壁本体３１の係止部３２の挿入孔に前方から挿入され、後端（板バネの一端）が防風壁本体３１のストッパ部３３に突き当てられた状態で、防風壁本体３１に固定されている。第１部分２１の前端部（＝第２部分２２の下端部）は、押圧体２０の固定端２６として機能している。
【００３８】
また、第３部分２３の下端部（＝第４部分２４の下端部）は、押圧体２０の自由端２７として機能している。第２部分２２の上端部（＝第３部分２３の上端部）は、ハウジング１１の上壁より上方に位置しており、押し当て壁５０（図５（ａ）を参照）に押し当てられる押圧体２０の頂部２８として機能する。このように、押圧体２０は、片持ち梁状の構成を有する。
【００３９】
次いで、規制部４０について説明する。規制部４０は、押圧体２０の自由端２７の移動可能範囲（可動範囲）を制限する機能を有する。図１〜図３に示すように、規制部４０は、内部空間（収容室）を有する箱状部分であり、角筒状のハウジング１１の両側壁のそれぞれの後端部から、幅方向外側に一体で突出するように設けられている。
【００４０】
特に、図３に示すように、規制部４０の前壁４１は、押圧体２０の第３部分２３の延在方向に沿うように、斜めに延びている。前壁４１には、前壁４１の延在方向に延びると共に規制部４０の収容室と連通する窓（貫通孔）４２が形成されている。この窓４２を介して、押圧体２０の第４部分２４（自由端２７を含む）が、規制部４０の収容室に進入・収容されている。
【００４１】
押圧体２０の自由状態（弾性復元力が作用していない状態）では、図３に示すように、自由端２７と窓４２の下壁面との間には、一対の頂部２８を押し当て壁５０に押し当てた際に発生する押圧体２０の最大弾性変形量に応じた十分な隙間が確保されている。
【００４２】
また、自由端２７と窓４２の上壁面４３（図３（ｂ）を参照）との間には、僅かな隙間しか確保されていない。これにより、意図せずに押圧体２０に対して上向きに過度の荷重（図３（ｂ）の白矢印を参照）が作用した場合であっても、自由端２７が窓４２の上壁面４３に当接してそれ以上の上向きの移動が規制されることで、押圧体２０が上向きに過度に変形することが防止される。なお、押圧体２０の自由状態において、自由端２７と窓４２の上壁面４３との間に隙間が確保されていなくてもよい（即ち、自由端２７と窓４２の上壁面４３とが当接していてもよい）。
【００４３】
また、自由端２７と窓４２の幅方向両側壁面との間には、僅かな隙間しか確保されていない。これにより、意図せずに押圧体２０に対して幅方向に過度の外力が作用した場合であっても、押圧体２０が幅方向に過度に変形することが防止される。
【００４４】
次いで、以上の構成を有する温度センサ１の使用状態について説明する。温度センサ１は、図５（ａ）に示すように、互いに相対移動不能に配置された円筒型電池２と押し当て壁５０との間に、一対の押圧体２０の頂部２８を押し当て壁５０（平板壁）に押し当てた状態で装着される。
【００４５】
温度センサ１の装着状態において、一対の押圧体２０は、押し当て壁５０から受ける反力によって、自由端２７が下方に移動する（より正確には、下方且つ後方に斜めに移動する）ように弾性変形している。この結果、一対の押圧体２０は、防風壁本体３１を介してセンサ本体１０（測温面１４ａ）を、円筒型電池２の外周曲面２ａに向けて下向きに押圧する弾性復元力を発生している。この弾性復元力によって、温度センサ１の測温面１４ａと、円筒型電池２の外周曲面２ａとの間の密着状態が維持されている（図５（ｂ）を参照）。このように、温度センサ１が円筒型電池２に装着されることによって、電池パック３が得られる。
【００４６】
温度センサ１の装着状態（温度センサ１の測温面１４ａと円筒型電池２の外周曲面２ａとが密着された状態）では、円筒型電池２の外周曲面２ａの温度に応じた量の熱が測温面１４ａに伝達され、測温面１４ａに伝達された熱が、第１伝熱板１４及び一対の第２伝熱板１５を介して測温体１３に伝達される。この結果、温度測定装置又は温度測定回路基板に接続された測温体１３により、円筒型電池２の外周曲面２ａの温度が測定される。
【００４７】
更に、この温度センサ１の装着状態では、防風壁３０が、測温面１４ａの幅方向両端部を、円筒型電池２の外周曲面２ａとの間に挟むようになっている。このため、図６に太い黒矢印で示すように、例えば、円筒型電池２を冷却するための冷却風が温度センサ１の外部（例えば、上方）から円筒型電池２に吹き付けられた場合であっても、防風壁３０により、測温面１４ａと円筒型電池２との接触箇所に吹き込む冷却風を低減できる。その結果、温度センサ１による測温の精度を向上できる。
【００４８】
以上、本発明の実施形態に係る温度センサ１及び電池パック３によれば、センサ本体１０の測温面１４ａが円筒型電池２の外周曲面２ａの形状に対応するように湾曲した形状を有するため、従来の温度センサのように測温面が平面形状を有する場合に比べ、測温面１４ａと円筒型電池２の外周曲面２ａとの接触面積が増大し、円筒型電池２の温度をより適正に測定することができる。
【００４９】
更に、測温面１４ａが円筒型電池２の外周曲面２ａに当接された状態にて、防風壁３０が、測温面１４ａの幅方向両端部を、外周曲面２ａとの間に挟んでいる。この結果、例えば、円筒型電池２の冷却風が温度センサ１の外部（例えば、上方）から円筒型電池２に吹き付けられた場合であっても、防風壁３０により、測温面１４ａと円筒型電池２との接触箇所に吹き込む冷却風を低減できる。その結果、温度センサ１による測温の精度を向上できる。
【００５０】
更に、押圧体２０が防風壁３０に設けられている。そのため、防風壁３０を、センサ本体１０を押圧する部分として兼用できる。よって、押圧体２０を他の部分に設ける場合に比べ、温度センサ１を小型化できる。
【００５１】
更に、測温体１３と伝熱体１２との間にポッティング樹脂材１９（絶縁体）が設けられている。そのため、伝熱体１２として導電性の高い材料（例えば、金属）を用いた場合であっても、円筒型電池２と測温体１３との間を確実に絶縁させることができる。
【００５２】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５３】
例えば、上記実施形態では、温度センサ１に規制部４０が設けられているが、規制部４０が設けられていなくてもよい。
【００５４】
更に、上記実施形態では、温度センサ１の測温体１３としてサーミスタが用いられている。しかし、測温体１３として、ポジスタ、熱電対、半導体素子、及び、バイメタル等が用いられてもよい。
【００５５】
更に、上記実施形態では、一対の押圧体２０がハウジング１１の幅方向両側に設けられているが、例えば、単一の押圧体２０がハウジング１１の上側の幅方向中央位置に設けられていてもよい。また、上記実施形態では、押圧体２０が防風壁３０に設けられているが、押圧体２０が防風壁３０とは別の箇所に設けられていてもよい。
【００５６】
ここで、上述した本発明に係る温度センサ１及び電池パック３の特徴をそれぞれ以下（１）〜（４）に簡潔に纏めて列記する。
（１）
円筒型電池（２）の外周曲面（２ａ）の形状に対応するように湾曲した測温面（１４ａ）を有するセンサ本体（１０）と、
前記測温面（１４ａ）を前記外周曲面（２ａ）に当接させる向きに前記センサ本体（１０）を押圧可能な押圧体（２０）と、
前記センサ本体（１０）に設けられた防風壁（３０）であって前記測温面（１４ａ）の周縁部の少なくとも一部を該防風壁と前記外周曲面（２ａ）との間に挟むように配置された防風壁（３０）と、を備えた、
温度センサ（１）。
（２）
上記（１）に記載の温度センサにおいて、
前記押圧体（２０）が、
前記防風壁（３０）に設けられると共に前記防風壁（３０）を前記向きに弾性的に押圧可能な弾性構造を有する、
温度センサ（１）。
（３）
上記（１）又は上記（２）に記載の温度センサにおいて、
前記センサ本体（１０）が、
前記測温面（１４ａ）を構成する第１伝熱板（１４）、及び、前記第１伝熱板（１４）の周縁部から互いに向かい合うように延びる一対の第２伝熱板（１５）を有する伝熱体（１２）と、
前記第１伝熱板（１４）及び前記一対の前記第２伝熱板（１５）に囲まれるように配置された測温体（１３）と、
前記測温体（１３）と前記伝熱体（１２）との間に設けられた絶縁体（１９）と、を有する、
温度センサ（１）。
（４）
円筒型電池（２）と、温度センサ（１）と、を備えた電池パック（３）であって、
前記温度センサ（１）は、
前記円筒型電池（２）の外周曲面（２ａ）の形状に対応するように湾曲した測温面（１４ａ）を有するセンサ本体（１０）と、
前記測温面（１４ａ）を前記外周曲面（２ａ）に当接させる向きに前記センサ本体（１０）を押圧可能な押圧体（２０）と、
前記センサ本体（１０）に設けられた防風壁（３０）であって前記測温面（１４ａ）の周縁部の少なくとも一部を該防風壁と前記外周曲面（２ａ）との間に挟むように配置された防風壁（３０）と、を有する、
電池パック（３）。
【符号の説明】
【００５７】
１      温度センサ
２      円筒型電池
２ａ    外周曲面
３      電池パック
１０    センサ本体
１２    伝熱体
１３    測温体
１４    第１伝熱板
１４ａ  測温面
１５    第２伝熱板
１９    ポッティング樹脂材（絶縁体）
２０    押圧体
３０    防風壁
【図１】
2018179938.tif 000003
【図２】
2018179938.tif 000004
【図３】
2018179938.tif 000005
【図４】
2018179938.tif 000006
【図５】
2018179938.tif 000007
【図６】
2018179938.tif 000008